(57)【要約】３Ｄコンデンサ構造がトレンチ網に基づき、トレンチ網は基板(100)の上面(S100)からエッチングされ、分離したピラー(10)の規則的なアレイを形成する。３Ｄコンデンサ構造は、基板上面にあるピラー(10)の上面上、トレンチ側壁上、及びトレンチ底面(S101)上にも連続して広がる。電気二重層コンデンサの第２電極と第３電極との間に不所望な短絡は発生し得ないことを保証しつつ、電気二重層コンデンサの電極を接続するために、トレンチ網は局所的に修正されている。本発明は、高いコンデンサ密度と不所望な短絡がないことの確実性との間の改善されたトレードオフを提供する。
2019522890.tif 000002
【特許請求の範囲】
【請求項１】
基板(100)と、
トレンチ網と、
電気二重層コンデンサ(C)と、
少なくとも１つの接点パッド(20)とを具え、
前記トレンチ網は、前記基板(100)の基板上面(S100)から下向きに、前記基板の前記上面に垂直な深さ方向(D)に沿ってトレンチ底面(S101)まで延び、前記トレンチ網は、分離したピラー(10)の規則的なアレイを形成し、該ピラーは、互いに離れて配置され、各々が、前記基板上面に平行な閉ループ型トレンチパターンによって包囲され、
前記電気二重層コンデンサは、単一要素として、前記基板上面(S100)にある前記ピラー(10)の上面上に連続して広がり、かつ前記深さ方向(D)に平行なトレンチ側壁上に連続して広がり、かつ前記トレンチ底面(S101)上にも連続して広がり、前記電気二重層コンデンサは、前記基板側から順に：第１電極(1)と、第１絶縁層(1i)と、第２電極(2)と、第２絶縁層(2i)と、第３電極(3)とを具え、
前記接点パッドは、前記基板上面(S100)の上方に前記深さ方向(D)に沿って配置されて、前記第２電極(2)に電気接触するように構成されている三次元コンデンサ構造(200)において、
次の特徴、即ち：
/i/ 前記ピラーのうちの少なくとも１つを接点支持ピラー(11)と称し、該接点支持ピラーの周囲では、該接点支持ピラーと隣り合う互いに隣接した前記ピラー(10n)間を橋渡しする追加的な基板部分(12)を設けることによって、前記分離したピラー(10)の規則的なアレイに対して前記トレンチ網が異なり、これにより、前記追加的な基板部分が前記互いに隣接したピラーと共に閉ループ型トレンチ分離体(13)を形成し、該閉ループ型トレンチ分離体は、前記接点支持ピラーを包囲し、前記基板上面(S100)に含まれる平坦な最上部(FT13)を有すること；
/ii/ 前記第１電極(1)、前記第１絶縁層(1i)、及び前記第２電極(2)は、前記閉ループ型トレンチ分離体(13)の前記平坦な最上部(FT13)全体にわたって連続して広がり、かつ前記接点支持ピラー(11)と前記閉ループ型トレンチ分離体との間に位置する分離された閉ループ型トレンチ部分(14)内に連続して広がり、かつ前記閉ループ型トレンチ分離体の外側に位置する他のトレンチ部分内にも連続して広がること；
/iii/ 少なくとも閉ループ型ストリップ(B)に沿った所では、前記閉ループ型トレンチ分離体(13)の前記平坦な最上部(FT13)に前記第３電極(3)がなく、該閉ループ型ストリップは、前記平坦な最上部に含まれ、前記分離された閉ループ型トレンチ部分(14)及び前記接点支持ピラー(11)を包囲し、これにより、前記第３電極における、前記分離された閉ループ型トレンチ部分に含まれる部分が、前記閉ループ型ストリップの外側にある前記第３電極の他の部分から隔離されること；及び
/iv/ 前記接点パッド(20)が、前記接点支持ピラー(11)の少なくとも上方部分で前記第２電極と電気接触すること
を満足することを特徴とする三次元コンデンサ構造(200)。
【請求項２】
少なくとも前記接点パッド(20)と前記第２電極(2)との接触領域内では、前記接点支持ピラー(11)の上面(S11)にも前記第３電極(3)がなく、少なくとも該接触領域内では、さらに前記第２絶縁層(2i)がない、請求項１に記載の三次元コンデンサ構造(200)。
【請求項３】
前記第３電極(3)における、前記基板上面(S100)に平行に広がるあらゆる部分、前記接点支持ピラー(11)の前記上面(S11)の一部分を含めた、前記閉ループ型ストリップ(B)の内側に広がるあらゆる部分、及び前記接点支持ピラーと前記閉ループ型トレンチ分離体(13)との間に位置する前記分離された閉ループ型トレンチ部分(14)の上方に広がるあらゆる部分がない、請求項１または２に記載の三次元コンデンサ構造(200)。
【請求項４】
前記電気二重層コンデンサ(C)上に配置された電気絶縁材料製の最上層(22)をさらに具え、該最上層は、前記閉ループ型ストリップ(B)の外側限界線の内側に位置し前記閉ループ型ストリップの該外側限界線から離れた開口部(O)を有し、該接点パッド(20)が該最上層の該開口部を通して前記第２電極(2)と接触する、請求項１〜３のいずれかに記載の三次元コンデンサ構造(200)。
【請求項５】
前記基板(100)が半導体基板であり、特にシリコン基板である、請求項１〜４のいずれかに記載の三次元コンデンサ構造(200)。
【請求項６】
前記第１電極(1)が前記基板(100)の導電部分で構成され、該導電部分は、前記基板上面(S100)、前記トレンチ側壁、及び前記トレンチ底面(S101)に沿って広がる、請求項５に記載の三次元コンデンサ構造(200)。
【請求項７】
前記第１電極(1)が導電材料の層を具え、該導電材料の層は、前記基板上面(S100)、前記トレンチ側壁、及び前記トレンチ底面(S101)を覆う、請求項５に記載の三次元コンデンサ構造(200)。
【請求項８】
互いに離れて前記基板上面(S100)の全体にわたって分布する複数の前記接点支持ピラーが前記特徴/i/〜/iv/を満足し、これにより、前記接点支持ピラーの各々に、当該接点支持ピラーを包囲する１つの前記閉ループ型トレンチ分離体(13)、及び１つの前記接点パッド(20)が設けられ、当該接点パッドは、１つの分離した前記閉ループ型ストリップ内にある当該接点支持ピラーの上方で、他のあらゆる前記接点支持ピラーと独立して前記第２電極と電気接触し、
前記３Ｄコンデンサ構造(200)は、一組の導電トラック(21)をさらに具え、該導電トラックは、前記基板上面(S100)の上方に配置され、前記接点パッドの全部を接続して電気的に並列な配置にするように構成されている、請求項１〜７のいずれかに記載の三次元コンデンサ構造(200)。
【請求項９】
電源(400)及び電子回路(300)を具えた電気装置であって、該電源と該電子回路とは、該電子回路が該電源によって給電されるように接続されている電気装置において、
前記電気装置が、請求項１〜８のいずれかに記載の３Ｄコンデンサ構造(200)をさらに具え、該３Ｄコンデンサ構造は、前記電源から前記電子回路と並列に電気接続されていることを特徴とする電気装置。
【請求項１０】
前記電子回路(300)がダイ内に集積され、前記３Ｄコンデンサ構造の前記基板(100)が該ダイに接して配置されている、請求項９に記載の電気装置。
【請求項１１】
３Ｄコンデンサ構造を製造する方法であって、
/1/上面、及び該上面に垂直な深さ方向を有する基板を用意するステップと、
/2/ トレンチ網を前記基板の基板上面(S100)から下向きに前記深さ方向(D)に沿ってトレンチ底面(S101)までエッチングするステップであって、該トレンチ網は分離したピラー(10)の規則的なアレイを形成し、該ピラーは互いに離れて配置され、各々が、前記基板上面に平行な閉ループ型トレンチパターンによって包囲されるステップと、
/3/ 電気二重層コンデンサ(C)が、単一要素として、前記基板上面(S100)にある前記ピラー(10)の上面上に連続して広がり、かつ前記深さ方向(D)に平行なトレンチ側壁上に連続して広がり、かつ前記トレンチ底面(S101)上にも連続して広がるように、該電気二重層コンデンサを前記基板(100)上に堆積させるステップであって、該電気二重層コンデンサが、前記基板側から順に：第１電極(1)と、第１絶縁層(1i)と、第２電極(2)と、第２絶縁層(2i)と、第３電極(3)とを具えているステップと、
/7/ 少なくとも１つの接点パッド(20)を、前記基板上面(S100)の上方に前記深さ方向に沿って形成するステップであって、該接点パッドは前記第２電極(2)に電気接触するように構成されているステップとを含む方法において、
ステップ/2/において、前記ピラーのうちの少なくとも１つを接点支持ピラー(11)と称し、該接点支持ピラーの周囲において、該接点支持ピラーと隣り合う互いに隣接した前記ピラー(10n)間を橋渡しする追加的な基板部分(12)を残すことによって、前記トレンチ網を修正し、これにより、該追加的な基板部分が前記互いに隣接したピラーと共に閉ループ型トレンチ分離体(13)を形成し、該閉ループ型トレンチ分離体は、前記接点支持ピラーを包囲し前記基板上面(S100)に含まれる平坦な最上部(FT13)を有し、
前記方法が、ステップ/3/と/7/の間に、少なくとも閉ループ型ストリップ(B)に沿って前記第３電極(3)を除去するステップ/4/をさらに含み、該閉ループ型ストリップは、前記閉ループ型トレンチ分離体(13)の前記平坦な最上部(FT13)に含まれ、前記接点支持ピラー(11)を包囲し、前記接点支持ピラーと前記閉ループ型トレンチ分離体との間に位置する分離された閉ループ型トレンチ部分(14)も包囲し、これにより、前記第１電極(1)、前記第１絶縁層(1i)、及び前記第２電極(2)を、前記平坦な最上部上、前記分離された閉ループ型トレンチ部分内、及び前記接点支持ピラーの上方に連続したままにしつつ、前記第３電極(3)における前記分離された閉ループ型トレンチ部分に含まれる部分が、前記第３電極における前記閉ループ型ストリップの外側にある他の部分から隔離され、
ステップ/7/において、前記接点パッド(20)を、前記接点支持ピラー(11)の少なくとも上方部分で前記第２電極(2)と電気接触するように形成する
ことを特徴とする方法。
【請求項１２】
ステップ/4/において、前記第３電極(3)を、前記閉ループ型ストリップ(B)に沿って、同時に前記接点パッド(20)と前記第２電極(2)との接触領域内で除去し、該接触領域は、前記接点支持ピラー(11)の少なくとも上方に広がり、少なくとも該接触領域内では前記第２絶縁層(2i)も除去する、請求項１１に記載の方法。
【請求項１３】
ステップ/4/において、前記接点支持ピラー(11)の上方、及び当該接点支持ピラーと前記閉ループ型トレンチ分離体(13)との間に位置する前記分離された閉ループ型トレンチ部分(14)の上方を含めた前記閉ループ型ストリップ(B)の内側で、前記基板上面(S100)に平行に広がる前記第３電極(3)のあらゆる部分を除去する、請求項１１または１２に記載の方法。
【請求項１４】
ステップ/4/とステップ/7/との間に実行される次のステップ、即ち：
/5/ 電気絶縁材料の最上層(22)を前記電気二重層コンデンサ(C)上に堆積させるステップと、
/6/ 前記最上層(22)を通る開口部(O)をエッチングして、該開口部が前記閉ループ型ストリップ(B)の外側限界線の内側に位置し、かつ前記閉ループ型ストリップの該外側限界線から離れるようにするステップとをさらに含み、
ステップ/7/において、前記接点パッド(20)を、前記最上層(22)の前記開口部(O)を通って前記第２電極に接触するように形成する、請求項１１〜１３のいずれかに記載の方法。
【請求項１５】
複数の前記接点支持ピラー(11)を同時に、前記基板上面(S100)全体にわたって互いに離して設け、これにより、前記接点支持ピラーの各々が、当該接点支持ピラーを包囲する前記閉ループ型トレンチ分離体(13)、及び１つの前記接点パッド(20)と組み合わせられ、前記接点パッドは、当該接点支持体の上方で、かつ１つの分離された前記閉ループ型ストリップ内で、かつ他のあらゆる前記接点支持ピラーと独立して、前記第２接点(2)と電気接触し、
ステップ/7/の後に実行される次のステップ、即ち：
/8/ 一組の導電トラック(21)を形成するステップであって、該導電トラックは、前記基板上面(S100)の上方に配置され、前記接点パッド(20)の全部を接続して電気的に並列な配置にするように構成されているステップをさらに含む、請求項１１〜１４のいずれかに記載の方法。
【発明の詳細な説明】
【技術分野】
【０００１】
本発明は、三次元コンデンサ構造の略である３Ｄ（three-dimensional）コンデンサ構造、こうした３Ｄコンデンサ構造を具えた電気装置、及び製造方法に関するものである。
【背景技術】
【０００２】
発明の背景
非常に高いコンデンサ密度を有するコンデンサ構造は、電源デカップリングのような用途向けの問題となってきている。こうしたデカップリング用途向けには、表面実装コンデンサが一般にプリント基板レベルで実現される。これらのコンデンサは、電源によって給電される電子回路と並列に、その電源に接続される。しかし、こうした実現では、表面実装されたコンデンサと電源との間に、そして上記回路への大幅に長い電気接続部が必要であり、これらの接続部は大きな等価直列インダクタンスを生じさせる。従って、これらの実現は、高度な阻止が望まれる際には、効率的なデカップリングにとって不適切である。
【０００３】
シリコン埋込コンデンサ構造は、表面実装コンデンサに取って代わる技術であり、長い電気接続部を必要としない。従って、電源デカップリング用途向けには、等価直列インダクタンスはもはや問題にならないが、シリコン埋込コンデンサ構造は、特に３Ｄコンデンサ構造については高い等価直列抵抗を呈する。実際には、３Ｄコンデンサ構造は、トレンチ内に堆積した電極層を実現し、従って次の特徴を有する：
トレンチ内の電極設計は、電極内を電荷が流れる距離をもたらし、この距離は非常に長い；
各電極層の堆積中にトレンチの目詰まりを回避するために、電極層は薄い；
電極のトレンチ内堆積のために実現される堆積プロセスは、非常に高い値の導電率を有さない電極材料に限定される。
【０００４】
これらの特徴は、等価直列抵抗を増加させることに寄与する。電気二重層コンデンサをトレンチ内部及びトレンチ間に用いる際には、これらの特徴は、中間電極とも称される第２電極にとって特に重大である。実際に、電気二重層コンデンサは、コンデンサ密度における比較的高い値を生み出すが、特に、第２電極を形成する層の小さい厚さ及び限られた導電率に起因して、同時に、等価直列抵抗における比較的高い値をもたらす。
【０００５】
電気二重層コンデンサに基づく３Ｄコンデンサ構造から始まって、金属配線網を第２電極と並列に配置し、この配線網から第２電極に至る電気接点を分散設計により設けて、第２電極内の電荷が長距離を流れることを回避することが実現されてきている。しかし、電気二重層コンデンサに基づく３Ｄコンデンサ構造の第２電極に複数の電気接点を設けることは困難な問題となり得る。このことは、接点領域の位置にある第３電極層を除去することを必要とする。しかし、電気二重層コンデンサはトレンチ設計に合わせるので、第２電極と第３電極との間の短絡がトレンチの上縁部付近に発生し得る。こうした短絡を回避するために、第２電極層に至る電気接点を、トレンチのない回路部分に配置することができる。従って、これらの回路部分におけるコンデンサ構造のレイアウトはもはや三次元ではなく、即ち、回路基板の上面に平行な電極層で構成される。従って、第２電極と第３電極との間に短絡が発生しないことを保証しつつ、これらの回路部分内の第３電極を除去して第２電極に至る電気接点を作製することは容易である。
【０００６】
しかし、電極層が基板上面に平行である回路部分を作製することは、３Ｄコンデンサ構造に比べてコンデンサ密度の減少をもたらす。
【発明の概要】
【発明が解決しようとする課題】
【０００７】
こうした最近の状況から始まって、本発明の１つの目的は、コンデンサ密度における高い値と、電気二重層コンデンサの第２電極と第３電極との間に短絡が発生し得ないこととの間のトレードオフ（二律背反）を改善した新規な３Ｄコンデンサ構造を提供することにある。
【課題を解決するための手段】
【０００８】
この目的及び他の目的を達成するために、本発明の第１の態様は３Ｄコンデンサ構造を提案し、この３Ｄコンデンサ構造は：
基板と、
トレンチ網と、
電気二重層コンデンサと、
少なくとも１つの接点パッドとを具え、
トレンチ網は、基板の上面から下向きに、基板上面に垂直な深さ方向に沿ってトレンチ底面まで延び、トレンチ網は、分離したピラー（柱状体）の規則的なアレイを形成し、これらのピラーは互いに離れて配置され、各々が基板上面に平行な閉ループ型トレンチパターンによって包囲され、
電気二重層コンデンサは、単一要素として、基板上面にあるピラーの上面上、深さ方向に平行なトレンチ側壁上、及びトレンチ底面上にも連続して広がり、電気二重層コンデンサは、基板側から順に：第１電極、第１絶縁層、第２電極、第２絶縁層、及び第３電極を具え、
接点パッドは、基板上面の上方に深さ方向に沿って配置されて、第２電極に電気接触するように構成されている。
【０００９】
従って、本発明は電気二重層コンデンサを含む３Ｄコンデンサ構造に適用され、電気二重層コンデンサは、二重の金属−絶縁体−金属積層の略である二重ＭＩＭ積層とも称される。従って、本発明のコンデンサ構造のコンデンサ密度は高くすることができる。それに加えて、基板埋込型の構成は、ディスクリート（個別部品）の表面実装コンデンサに比べて、等価直列抵抗における低い値を可能にする。
【００１０】
/i/で表す本発明の第１の特徴によれば、接点支持ピラーと称する、ピラーのうちの少なくとも１つの周囲では、接点支持ピラーと隣り合う互いに隣接したピラー間を橋渡しする追加的な基板部分を設けることによって、上記分離したピラーの規則的なアレイに対してトレンチ網が異なる。従って、この追加的な基板部分は、上記互いに隣接したピラーと共に閉ループ型トレンチ分離体を形成し、この閉ループ型トレンチ分離体は、接点支持ピラーを包囲し、基板上面に含まれる平坦な最上部を有する。
【００１１】
/ii/で表す本発明の第２の特徴によれば、第１電極、第１絶縁層、及び第２電極が、上記閉ループ型トレンチ分離体の平坦な最上部の全体にわたって、接点支持ピラーと閉ループ型トレンチ分離体との間に位置する分離された閉ループ型トレンチ部分内に、及び閉ループ型トレンチ分離体の外側に位置する他のトレンチ部分内にも連続して広がる。
【００１２】
/iii/で表す本発明の第３の特徴によれば、少なくとも閉ループ型ストリップに沿った所では、閉ループ型トレンチ分離体の平坦な最上部に第３電極がなく、この閉ループ型ストリップは、この平坦な最上部に含まれ、分離された閉ループ型トレンチ部分及び接点支持ピラーを包囲する。このようにして、第３電極における、分離された閉ループ型トレンチ部分に含まれる部分は、閉ループ型ストリップの外側にある第３電極の他の部分から隔離される。
【００１３】
最後に、/iv/で表す本発明の第３の特徴によれば、上記接点パッドが、接点支持ピラーの少なくとも上方部分で第２電極と電気接触する。
【００１４】
閉ループ型ストリップが閉ループ型トレンチ分離体の平坦な上面上に配置されているので、閉ループ型ストリップは、このように互いに分離されて閉ループ型ストリップのそれぞれ内側及び外側に位置する、第３電極の上記の両方の部分間の電気絶縁を保証することができる。閉ループ型ストリップは、エッチングまたはマスキング・プロセスのような単純で良好に制御されるプロセスを実現することによって製造することができる。閉ループ型ストリップの絶縁の有効性、及びその製造の容易性は、閉ループ型トレンチ分離体が、閉ループ型ストリップを含む表面内のあらゆる不連続性を抑制することに起因する。
【００１５】
従って、第２電極に接触すること専用の接点パッドが、例えば分離された閉ループ型トレンチ部分の上縁部の所で予期せず第３電極にも接触した場合、このことは有害な影響を与えない、というのは、閉ループ型ストリップが、第３電極における閉ループ型ストリップの内側にある部分と、第３電極における閉ループ型ストリップの外側にある残りの部分との隔離を保証するからである。
【００１６】
第３電極における閉ループ型ストリップの内側にある部分は、コンデンサ密度にとってはもはや有効ではないが、このことは３Ｄコンデンサ構造の限られた部分に関係する。しかし、閉ループ型ストリップの内側にある第１及び第２電極によってもたらされるコンデンサの寄与分はまだ有効である。従って、第２電極に接触する必要性によって生じるコンデンサ密度の損失は、等価直列抵抗における低い値を維持するために複数のこうした接点を設ける場合でも限定的である。このようにして、本発明は、コンデンサ密度における高い値と等価直列抵抗における低い値との間の最適化されたトレードオフを提供することができる。従って、本発明によるコンデンサ構造は、効率的な電源デカップリングを実現することに良好に適合する。
【００１７】
本発明については一般に、少なくとも接点パッドと第２電極との接触領域内では、接点支持ピラーの上面も第３電極をなくすことができ、さらに、少なくともこの接触領域内では、さらに第２絶縁層をなくすことができる。
【００１８】
上記３Ｄコンデンサ構造は、第３電極における、基板上面に平行に広がるあらゆる部分、接点支持ピラーの上面の一部分を含めた閉ループ型ストリップの内側に広がるあらゆる部分、及び接点支持ピラーと閉ループ型トレンチ分離体との間に位置する分離された閉ループ型トレンチ部分の上方に広がるあらゆる部分をなくすことができることが好ましい。
【００１９】
本発明の好適な実現では、上記３Ｄコンデンサ構造が、電気絶縁材料製の最上層をさらに具えることができ、この最上層は電気二重層コンデンサ上に配置される。そして、この最上層は、閉ループ型ストリップの外側限界線の内側に位置し、かつ閉ループ型ストリップのこの外側限界線から離れた開口部を有する。従って、上記接点パッドは、この最上層の開口部を通して第２電極と接触することができる。
【００２０】
一般に、上記基板は、半導体基板、特にシリコン基板とすることができる。従って、上記３Ｄコンデンサ構造は、表面実装コンデンサ、及び基板上面上に積層された金属化層内に配置されるコンデンサとは異なり基板埋込型とすることができる。こうした基板埋込型３Ｄコンデンサの場合、第１電極は基板の導電部分で構成することができ、この導電部分は、基板上面、トレンチ側壁、及びトレンチ底面に沿って広がる。その代わりに、第１電極が導電材料の層を具えることができ、この層は基板上面、トレンチ側壁、及びトレンチ底面を覆う。
【００２１】
特徴/i/〜/iv/は、互いに離れて基板上面全体にわたって分布する複数の接点支持ピラーにおいて満足することが好ましい。こうして、各接点支持ピラーに、当該接点支持ピラーを包囲する１つの閉ループ型トレンチ分離体、及び１つの接点パッドが設けられ、この接点パッドは、１つの分離した閉ループ型ストリップ内にある同じ接点支持ピラーの上方で、他のあらゆる接点支持ピラーと独立して第２電極と電気接触する。そして、上記３Ｄコンデンサ構造は一組の導電トラックを具えることができ、これらの導電トラックは、基板上面の上方に配置され、接点パッドの全部を接続して電気的に並列な配置にするように構成されている。このようにして、導電トラックは第２電極と並列な導電経路を提供して等価直列抵抗の値を減少させる。
【００２２】
本発明の第２の態様は電気装置を提供し、この電気装置は電源及び電子回路を具え、その両者は電子回路が電源によって給電されるように接続されている。本発明によれば、この装置は本発明の第１の態様による３Ｄコンデンサ構造をさらに具え、この３Ｄコンデンサ構造は電源から電子回路と並列に電気接続されている。この３Ｄコンデンサ構造は、電源に対する電子回路の効率的なデカップリング機能を生じさせる。
【００２３】
この電子回路はダイ内に集積することができ、３Ｄコンデンサ構造の基板はダイに接して配置することが好ましい。こうした構成はさらに、等価直列インダクタンスにおける低い値を保証する。
【００２４】
最後に、本発明の第３の態様は、３Ｄコンデンサ構造を製造する方法を提案し、この方法は次のステップを含む：
/1/ 上面、及び上面に垂直な深さ方向を有する基板を用意するステップ；
/2/ トレンチ網を基板上面から下向きに深さ方向に沿ってトレンチ底面までエッチングするステップであって、トレンチ網は分離したピラーの規則的なアレイを形成し、これらのピラーは互いに離れて配置され、各々が、基板上面に平行な閉ループ型トレンチパターンによって包囲されるステップ；
/3/ 電気二重層コンデンサが、単一要素として、基板上面にあるピラーの上面上、深さ方向に平行なトレンチ側壁上、及びトレンチ底面上にも連続して広がるように、電気二重層コンデンサを基板上に堆積させるステップであって、この電気二重層コンデンサが、基板側から順に：第１電極、第１絶縁層、第２電極、第２絶縁層、及び第３電極を具えているステップ；及び
/7/ 少なくとも１つの接点パッドを、基板上面の上方に深さ方向に沿って形成するステップであって、この接点パッドは第２電極に電気接触するように構成されているステップ。
【００２５】
本発明によれば、ステップ/2/において、接点支持ピラーと称する、ピラーのうちの少なくとも１つの周囲において、接点支持ピラーと隣り合う互いに隣接したピラー間を橋渡しする追加的な基板部分を残すことによって、トレンチ網を修正する。これにより、追加的な基板部分は上記互いに隣接したピラーと共に閉ループ型トレンチ分離体を形成し、この閉ループ型トレンチ分離体は、接点支持ピラーを包囲し、基板上面に含まれる平坦な最上部を有する。
【００２６】
それに加えて、この方法は、ステップ/3/と/7/の間に、少なくとも閉ループ型ストリップに沿って第３電極を除去するステップ/4/をさらに含み、この閉ループ型ストリップは、閉ループ型トレンチ分離体の平坦な最上部に含まれ、接点支持ピラーを包囲し、接点支持ピラーと閉ループ型トレンチ分離体との間に位置する分離された閉ループ型トレンチ部分も包囲する。これにより、第１電極、第１絶縁層、及び第２電極を、上記平坦な最上部上、分離された閉ループ型トレンチ部分内、及び接点支持ピラーの上方に連続したままにしつつ、第３電極における、分離された閉ループ型トレンチ部分に含まれる部分は、第３電極における閉ループ型ストリップの外側にある他の部分から隔離される。
【００２７】
またステップ/7/では、上記接点パッドを、接点支持ピラーの少なくとも上方部分で第２電極と電気接触するように形成する。
【００２８】
本発明の好適な実現では、ステップ/4/において、第３電極を、閉ループ型ストリップに沿って、同時に接点パッドと第２電極との接触領域内で除去することができる。従って、この接触領域は、接点支持ピラーの少なくとも上方部分に広がる。少なくともこの接触領域内では第２絶縁層も除去する。
【００２９】
場合によっては、ステップ/4/において、閉ループ型ストリップの内側で、基板上面に平行に広がる第３電極のあらゆる部分を、接点支持ピラーの上方、及びこの接点支持ピラーと閉ループ型トレンチ分離体との間に位置する分離された閉ループ型トレンチ部分の上方を含めて除去することができる。
【００３０】
本発明は、ステップ/4/とステップ/7/との間に実行される次のステップをさらに含むことができる：
/5/ 電気絶縁材料の最上層を電気二重層コンデンサ上に堆積させるステップと；
/6/ 次に、この最上層を通る開口部をエッチングして、この開口部が閉ループ型ストリップの外側限界線の内側に位置し、かつ閉ループ型ストリップのこの外側限界線から離れるようにするステップ。
【００３１】
従って、ステップ/7/では、接点パッドを、この最上層の開口部を通って第２電極に接触するように形成することができる。
【００３２】
最後に、第２電極に起因する等価直列抵抗を低減するために、複数の接点支持ピラーを同時に、基板上面全体にわたって互いに離して設けることができ、これにより、各接点支持ピラーは、この接点支持ピラーを包囲する閉ループ型トレンチ分離体、及び同じ接点支持体の上方で、かつ１つの分離された閉ループ型ストリップ内で、かつ他のあらゆる接点支持ピラーと独立して第２接点と電気接触する１つの接点パッドと組み合わせられる。そして、この方法は、ステップ/7/の後に実行される次のステップをさらに含むことができる：
/8/ 一組の導電トラックを形成するステップであって、これらの導電トラックは、基板上面の上方に配置され、接点パッドの全部を接続して電気的に並列な配置にするように構成されているステップ。
【００３３】
明瞭にするために、これらの図面中に出現する要素のサイズは、実際の寸法または寸法比に対応しない。また、これらの図面のうちの異なる図面中に示される同じ参照番号または参照符号は、同一の機能を有する同一の要素を表す。
【図面の簡単な説明】
【００３４】
【図１】本発明による３Ｄコンデンサ構造用に用いられる基板の透視図である。
【図１Ａ】図１の部分拡大図である。
【図２】図１の基板から製造された本発明による３Ｄコンデンサ構造の、図１中の平面IIから描いた断面図である。
【図３】本発明による電気装置を示す図である。
【発明を実施するための形態】
【００３５】
発明の詳細な説明
図１及び１Ａによれば、半導体基板１００が、Ｓ100で表す上面、及び上面Ｓ100に垂直な深さ方向Ｄを有する。基板１００はシリコン基板とすることができる。基板１００は、その上面Ｓ100から下向きにトレンチの底面レベルＳ101まで深さ方向Ｄと平行に、基板上面Ｓ100の全体にわたって分布する分離したマスク領域の外側をエッチングされている。マスク領域は規則的な二次元アレイに従って分布し、この二次元アレイは三角形、正方形、長方形、六角形...のベースパターンを有することができる。このようにして、分離したピラー１０の規則的な二次元アレイが基板１００上に得られ、このアレイはマスク領域のアレイに対応する。トレンチ網は、すべてのピラー１０の間に、基板上面Ｓ100に平行なＤ１及びＤ２で表す方向に沿って、及び基板上面Ｓ100とトレンチ底面Ｓ101との間にも深さ方向Ｄにそって広がる。トレンチ網を形成するために、あらゆるマスキング及びエッチング・プロセス、例えば化学エッチングプロセスを実現することができる。一般に、ピラーの上面Ｓ100に平行な断面形状は任意にすることができるが、特に深さ方向Ｄに平行な圧壊に対する機械的強度をもたらすように選択することが有利である。図１に表現する本発明の実施形態では、各ピラー１０が個別に三点の星形の断面を有し、ピラーのアレイは中心に六角形のパターンを有する。
【００３６】
本発明の特徴の１つによれば、規則的なピラーアレイを、ピラーのうちの少なくとも１つについて修正して、このピラーを包囲する閉ループ型トレンチ部分をトレンチ網の残り部分から隔離する。説明の大部分では対象のピラーを接点支持ピラーと称しており、図１及び１Ａでは参照番号１１で示す。この目的のために、ピラー１１と隣り合ういくつかのピラーを参照番号１０ｎで示し、追加的な基板部分１２で結合して閉ループ型トレンチ分離体１３をピラー１１の周囲に形成する。追加的な基板部分１２は、トレンチをエッチングするステップの前に、ピラー１０専用であるマスク部分と同時に追加的なマスク部分を配置することによって設けられていることが有利である。こうしてトレンチ網の残り部分から閉ループ型トレンチ分離体１３によって分離された閉ループ型トレンチ部分を参照番号１４で示す。このようにして、ピラー１１から半径方向に移動すると、次のパターンが形成される：ピラー１１が、分離された閉ループ型トレンチ部分１４によって包囲され、一方、閉ループ型トレンチ部分１４は閉ループ型トレンチ分離体１３によって包囲され、そしてピラーのアレイはその規則的なパターンで広がる。参照符号Ｓ11及びＦＴ13は、それぞれ接点支持ピラー１１の上面及び閉ループ型トレンチ分離体１３の平坦な最上部を表し、これらは共に基板上面Ｓ100内に位置する。
【００３７】
ピラー１１、閉ループ型トレンチ分離体１３、及び分離された閉ループ型トレンチ部分１４を具えたピラーアレイのこうした修正は、基板全体にわたって互いに離れたいくつかの位置で反復することができることが好ましい。接点支持ピラーのこれらの位置を基板上面Ｓ100の全体にわたって分布させて、例えば正方形のベースパターンを有するピラーのサブアレイを形成することができることが有利である。図１では、方向Ｄ１に沿った９つのうちの１つのピラーがこうして作製された接点支持ピラーであり、方向Ｄ２に沿った５つのうちの１つのピラーがこうして作製された接点支持ピラーである。
【００３８】
任意で、基板上面Ｓ100内のゾーン１５０はトレンチをなくすことができる。こうしたゾーンは、ゾーン１５０用に望ましい形状と一致する連続したマスク領域を構成することによりトレンチのエッチング領域を限定するために用いたマスクを適合させることによって、再度作製することができる。ゾーン１５０は、例えば接点支持ピラーのサブアレイの各ベースパターンの中心において、基板上面Ｓ100の全体にわたって反復させることもできる。
【００３９】
次に、図２に示すように、電気二重層コンデンサＣを、トレンチ網内及び今説明したピラー構造上に形成する。この目的のために、次の材料層を形成するか堆積させて、各々がピラー１０上に連続して広がり、この広がりは、接点支持ピラー１１の上面Ｓ11上及び閉ループ型トレンチ分離体１３の平坦な最上部ＦＴ13上、深さ方向Ｄに平行なトレンチ側壁上、及びトレンチ底面Ｓ101上を含み、分離された閉ループ型トレンチ部分１４、及び任意のゾーン１５０も含む。電気二重層コンデンサＣは次の層を具え、これらの層は基板１００から次の順序で互いに重なって積層される：第１電極１、第１絶縁層１ｉ、第２電極２、第２絶縁層２ｉ、及び第３電極３。第１電極１の変形例として、次の２つの具体例が可能である：基板１００内に、上面Ｓ11、平坦な最上部ＦＴ13、ピラー１０の上面、トレンチ側壁、及びトレンチ底面Ｓ101に沿った強化ドーピング層、または基板１００の同じ表面上に堆積された導電材料層のいずれか。第１電極１用に堆積させる導電材料は、例えばタングステン（Ｗ）またはタンタル（Ｔａ）のような耐熱金属とすることができる。第１絶縁層１ｉは、第１電極１の材料の酸化層、あるいはシリカ（ＳｉＯ2）または酸化チタニウム（ＴｉＯ2）層、あるいは既知の様式の多層誘電体とすることができる。第２電極２も耐熱金属層とすることができ、第２絶縁層２ｉは第１絶縁層１ｉと同一にすることができる。第３電極３はポリシリコン層とすることができる。場合によっては、第３電極３でトレンチを充填することができ、あるいは第３電極３の材料の後に、追加的な充填材料をトレンチ充填材用に堆積させることができる。電気二重層コンデンサＣは、化学気相成長法または原子層成長法のような低圧プロセスを用いて堆積させることができる。
【００４０】
ゾーン１５０は第１電極１及び／または第３電極３に至る電気接点を配置することの専用にすることができるが、このことは本発明に直接結び付かない。実際には、本発明の１つの主要な課題は、以下に説明するように第２電極２を信頼性のある方法で電気接触させることである。
【００４１】
電気二重層コンデンサＣの第２電極２に基板上面Ｓ100の上方から接触することは、第２電極２を露出させるように第３電極３及び第２絶縁層２ｉを除去することを必要とする。しかし、こうした第２電極２に至る接点を規則的なピラーアレイのあるゾーン内に作製したならば、このことは、第２電極に接触するために配置された接点パッドに非常に近い、トレンチに含まれる第３電極の最上部も露出させるに至る。第２電極２に接触するためのこうした接点パッドは、第３電極の最上部が接点支持ピラー１１の上面Ｓ11と同一平面上にあるトレンチ部分、及び第３電極３の最上部が閉ループ型トレンチ分離体１３の平坦な最上部ＦＴ13と同一平面上にあるトレンチ部分にもオーバーラップする。このことは、第２電極２に接触するために使用する接点パッドを通した第２電極２と第３電極との間に発生する可能性のある予期しない短絡を生じさせ、この短絡は望ましくない。ピラー１０が接点パッドよりも小さいか、接点パッドと同様な断面寸法を有するので、こうした短絡が出現し得るし、ピラー１０の断面寸法を増加させることはコンデンサ密度の値にとって好ましくない。
【００４２】
この問題に応えるために、第２電極２に接触すること専用である接点パッドをピラー１１の上方に配置し、この理由でピラー１１を接点支持ピラーと称する。それに加えて、本発明の他の１つの特徴によれば、閉ループ型トレンチ分離体１３の平坦な最上部ＦＴ13内にある閉ループ型ストリップＢ（図１、１Ａ、及び２参照）に沿って第３電極３を除去する。こうした閉ループ型ストリップＢは、その全体を平坦な最上部ＦＴ13内に配置することができる、というのは、トレンチ分離体１３は閉ループの設計を有するからである。それに加えて、ストリップＢは、閉ループ型トレンチ分離体１３によって包囲された、分離された閉ループ型トレンチ部分１４から離れて位置する。従って、閉ループ型ストリップＢによって包囲された領域内にある第３電極３のあらゆる残り部分は、もはや、閉ループ型ストリップＢの外側にある第３電極３の他の残り部分と接触しない。このことは、第３電極３における分離された閉ループ型トレンチ部分１４に含まれる部分に特に当てはまり、この部分は第２電極２に専用の接点パッドと予期せず接触し得る。こうした予期しない短絡の位置を、図２に参照符号ＡＳＣで示す。
【００４３】
閉ループ型ストリップＢは、内向きに、少なくとも、分離された閉ループ型トレンチ部分１４の周辺側壁まで広がることが好ましい。図２中の参照符号ＥＩを付けた双頭矢印は電気絶縁距離を示し、従って、この電気絶縁距離は、第３電極３における分離された閉ループ型トレンチ部分１４内に位置する部分と、閉ループ型ストリップＢの外側に放射状に位置する第３電極３の残り部分との間に生じる。この電気絶縁距離ＥＩは、第３電極３における分離された閉ループ型トレンチ部分１４に含まれる部分と、第２電極２に接触すること専用のパッドとの予期しない接触によるあらゆる電気的短絡効果を阻止する（図２中に参照符号ＡＳＣで示す位置を参照）。
【００４４】
閉ループ型ストリップＢに含まれる領域全体にわたって第３電極３を除去することが最も好ましく、この領域は、閉ループ型トレンチ分離体１３の平坦な最上部ＦＴ13におけるストリップＢの内部にある部分内を含むが、接点支持ピラー１１の上面Ｓ11も含み、場合によっては分離された閉ループ型トレンチ部分１４の上方にあるゾーンも含み、後者のゾーンでは多分制御が不十分なやり方であるが、既に説明した電気的影響なしに除去する。
【００４５】
従って、基板上面Ｓ100の上方から第２電極２に至る電気接点は通常の方法で作製することができる。絶縁材料の最上層２２を最初にコンデンサ構造Ｃ上に堆積させる。この最上層２２は、低圧化学気相成長プロセスの略であるＬＰＣＶＤ（low pressure chemical vapor process）プロセスを用いて堆積させたシリカとすることができる。開口部Ｏを最上層２２内に設けて第２絶縁層２ｉを露出させる。次に、開口部Ｏ内でこの後者（第２絶縁層２ｉ）を除去し、これにより第２電極２が開口部Ｏを通して露出する。
【００４６】
第１及び第２金属化レベルは、一般に金属１及び金属２と称され、その後に現在技術において周知の方法で作製される。
【００４７】
第１金属化レベルは、開口部Ｏを通って第２電極２と電気接触する接点パッド２０、及び絶縁材料層２３を含む。接点パッド２０はアルミニウム（Ａｌ）製とすることができ、蒸発、スパッタリング、またはＣＶＤプロセスのようなプロセスを用いて堆積させる。従って、開口部Ｏは接点パッド２０と第２電極２との接触領域を限定する。場合によっては、この接触領域を、分離された閉ループ型トレンチ部分１４まで拡張することができ、分離された閉ループ型トレンチ部分１４では第３電極３の最上部が上面Ｓ100と同一平面上にある。しかし、図２中に矢印ＡＳＣで表すような、この位置で発生する予期しない接触は、電気絶縁ＥＩのおかげで、閉ループ型ストリップＢ外には電気的影響を与えない。層２３は、プラズマ・エンハンスト化学気相成長プロセスの略であるＰＥＣＶＤ（plasma enhanced chemical vapor deposition）プロセスを用いて堆積させたシリカ層とすることができる。実際には、１つの分離した接点パッド２０をこの方法で各接点支持ピラー１１の上方に形成する。
【００４８】
第２金属化レベルは少なくとも１つの金属トラック２１を含み、金属トラック２１は、いくつかの接点パッド２０及び保護層２４と電気接触する。保護層２４は、ここでもＰＥＣＶＤプロセスを用いて堆積させた窒化シリコン（Ｓｉ3Ｎ4）層とすることができる。金属トラック２１はアルミニウム・トラックとすることができ、場合によっては第１金属化層内の接点パッド２０用に実現したのと同じプロセスを用いて得られる。金属トラック２１は、いくつかの、あるいは全部の接点パッド２０どうしを接続して、第２電極２に至る一組の多重電気接点を形成し、これらの電気接点は、電気二重層コンデンサＣの全体にわたって分布し、互いに並列に接続されている。このようにして、コンデンサ構造Ｃの等価直列抵抗に対する第２電極の寄与分が低減される。
【００４９】
今説明した製造プロセスより、電気二重層コンデンサＣ内で、第３電極が第２絶縁層２ｉを通して第２電極と対面することによって形成されるコンデンサ部は、閉ループ型ストリップＢ内で局所的に抑制されるように思われる。しかし、第２電極２が第１絶縁層１ｉを通して第１電極１と対面することによって形成される、電気二重層コンデンサＣ内に存在する他のコンデンサ部は、各電気接点より下方に第２電極２まで連続して広がる。特に、この後者（他）のコンデンサ部は、各閉ループ型トレンチ分離体１３の平坦な最上部ＦＴ13全体にわたって、各分離された閉ループ型トレンチ部分１４内に、及び各接点支持ピラー１１の上面Ｓ11の全体にわたって連続して広がる。このようにして、この（他の）コンデンサ部は、コンデンサ密度における高い値を得ることに関与する。
【００５０】
このようにして得られた３Ｄコンデンサ構造を参照番号２００で表す。この３Ｄコンデンサ構造は、図３に示すような電気装置内でデカップリング・コンデンサとして用いることができる。この電気装置は「回路」で表す有用な電子回路３００を具え、電子回路３００は外部電源４００によって給電される。特に、回路３００の少なくとも一部分はダイ内に集積することができる。従って、３Ｄコンデンサ構造２００は、電源４００から電気的に有効な方法で、回路３００と並列に接続されている。３Ｄコンデンサ構造２００の基板１００は、電気接続部２０１及び２０２により回路３００のダイの近くに配置することができることが有利であり、電気接続部２０１及び２０２は、回路３００のダイと３Ｄコンデンサ構造２００との間に配置することができる。接続設計は、接続部２０１及び２０２用に実現することができることが好ましく、これらの接続部では接続長が短く接続面積が広い。図３では、これらの接続部が中間表面パッドとして表されるが、ハンダバンプのような他の接続設計を代わりに用いることができる。このようにして、３Ｄコンデンサ構造２００は効率的なデカップリング機能を提供し、図３中にデカップリングで表す。こうしたデカップリング効率は、特に、電源４００が、並列に給電されるいくつかの有用な回路に共通である際に有利であり得る。こうしたデカップリング効率は、有用な回路３００の電力消費が電力バーストを呈する際にも有利である。
【００５１】
本発明は、互いに重ねて積層された４つ以上の電極、例えば三層コンデンサに対応する４つの電極を具えた積層コンデンサにも適用することができる。従って、追加的な閉ループ型トレンチ分離体を、各接点支持ピラーの周囲に、同心配置の形に設けることができる。１つのこうした追加的な閉ループ型トレンチ分離体は、電気二重層コンデンサの場合を超えた、積層コンデンサの追加的な各中間電極への追加的な短絡を回避すること専用にすることができる。従って、各中間電極に至る１つの分離した接点を、接点支持ピラーに加えて、内側の閉ループ型トレンチ分離体の平坦な最上部に配置することができる。
【図１】
2019522890.tif 000003
【図１Ａ】
2019522890.tif 000004
【図２】
2019522890.tif 000005
【図３】
2019522890.tif 000006
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
基板(100)と、
トレンチ網と、
電気二重層コンデンサ(C)と、
少なくとも１つの接点パッド(20)とを具え、
前記トレンチ網は、前記基板(100)の基板上面(S100)から下向きに、前記基板の前記上面に垂直な深さ方向(D)に沿ってトレンチ底面(S101)まで延び、前記トレンチ網は、分離した第１のピラー(10)の規則的なアレイを形成し、該第１のピラーは、互いに離れて配置され、各々が、前記基板上面に平行な閉ループ型トレンチパターンによって包囲され、
前記電気二重層コンデンサは、単一要素として、前記基板上面(S100)にある前記第１のピラー(10)の上面上に連続して広がり、かつ前記深さ方向(D)に平行なトレンチ側壁上に連続して広がり、かつ前記トレンチ底面(S101)上にも連続して広がり、前記電気二重層コンデンサは、前記基板側から順に：第１電極(1)と、第１絶縁層(1i)と、第２電極(2)と、第２絶縁層(2i)と、第３電極(3)とを具え、
前記接点パッドは、前記基板上面(S100)の上方に前記深さ方向(D)に沿って配置されて、前記第２電極(2)に電気接触するように構成されている三次元コンデンサ構造(200)において、
次の特徴、即ち：
/i/ 接点支持ピラー(11)と称する少なくとも1つの第２のピラーが、当該接点支持ピラーと隣り合う互いに隣接した前記第１のピラー(10n)間を橋渡しする追加的な基板部分(12)を設けることによって設けられ、これにより、前記追加的な基板部分が前記互いに隣接した第１のピラーと共に閉ループ型トレンチ分離体(13)を形成し、該閉ループ型トレンチ分離体は、前記接点支持ピラーを包囲し、前記基板上面(S100)に含まれる平坦な最上部(FT13)を有すること；
/ii/ 前記第１電極(1)、前記第１絶縁層(1i)、及び前記第２電極(2)は、前記閉ループ型トレンチ分離体(13)の前記平坦な最上部(FT13)全体にわたって連続して広がり、かつ前記接点支持ピラー(11)と前記閉ループ型トレンチ分離体との間に位置する分離された閉ループ型トレンチ部分(14)内に連続して広がり、かつ前記閉ループ型トレンチ分離体の外側に位置する他のトレンチ部分内にも連続して広がること；
/iii/ 少なくとも閉ループ型ストリップ(B)に沿った所では、前記閉ループ型トレンチ分離体(13)の前記平坦な最上部(FT13)に前記第３電極(3)がなく、該閉ループ型ストリップは、前記平坦な最上部に含まれ、前記分離された閉ループ型トレンチ部分(14)及び前記接点支持ピラー(11)を包囲し、これにより、前記第３電極における、前記分離された閉ループ型トレンチ部分に含まれる部分が、前記閉ループ型ストリップの外側にある前記第３電極の他の部分から隔離されること；及び
/iv/ 前記接点パッド(20)が、前記接点支持ピラー(11)の少なくとも上方部分で前記第２電極と電気接触すること
を満足することを特徴とする三次元コンデンサ構造(200)。
【請求項２】
少なくとも前記接点パッド(20)と前記第２電極(2)との接触領域内では、前記接点支持ピラー(11)の上面(S11)にも前記第３電極(3)がなく、少なくとも該接触領域内では、さらに前記第２絶縁層(2i)がない、請求項１に記載の三次元コンデンサ構造(200)。
【請求項３】
前記第３電極(3)における、前記基板上面(S100)に平行に広がるあらゆる部分、前記接点支持ピラー(11)の前記上面(S11)の一部分を含めた、前記閉ループ型ストリップ(B)の内側に広がるあらゆる部分、及び前記接点支持ピラーと前記閉ループ型トレンチ分離体(13)との間に位置する前記分離された閉ループ型トレンチ部分(14)の上方に広がるあらゆる部分がない、請求項１または２に記載の三次元コンデンサ構造(200)。
【請求項４】
前記電気二重層コンデンサ(C)上に配置された電気絶縁材料製の最上層(22)をさらに具え、該最上層は、前記閉ループ型ストリップ(B)の外側限界線の内側に位置し前記閉ループ型ストリップの該外側限界線から離れた開口部(O)を有し、該接点パッド(20)が該最上層の該開口部を通して前記第２電極(2)と接触する、請求項１〜３のいずれかに記載の三次元コンデンサ構造(200)。
【請求項５】
前記基板(100)が半導体基板であり、特にシリコン基板である、請求項１〜４のいずれかに記載の三次元コンデンサ構造(200)。
【請求項６】
前記第１電極(1)が前記基板(100)の導電部分で構成され、該導電部分は、前記基板上面(S100)、前記トレンチ側壁、及び前記トレンチ底面(S101)に沿って広がる、請求項５に記載の三次元コンデンサ構造(200)。
【請求項７】
前記第１電極(1)が導電材料の層を具え、該導電材料の層は、前記基板上面(S100)、前記トレンチ側壁、及び前記トレンチ底面(S101)を覆う、請求項５に記載の三次元コンデンサ構造(200)。
【請求項８】
互いに離れて前記基板上面(S100)の全体にわたって分布する複数の前記接点支持ピラーが前記特徴/i/〜/iv/を満足し、これにより、前記接点支持ピラーの各々に、当該接点支持ピラーを包囲する１つの前記閉ループ型トレンチ分離体(13)、及び１つの前記接点パッド(20)が設けられ、当該接点パッドは、１つの分離した前記閉ループ型ストリップ内にある当該接点支持ピラーの上方で、他のあらゆる前記接点支持ピラーと独立して前記第２電極と電気接触し、
前記３Ｄコンデンサ構造(200)は、一組の導電トラック(21)をさらに具え、該導電トラックは、前記基板上面(S100)の上方に配置され、前記接点パッドの全部を接続して電気的に並列な配置にするように構成されている、請求項１〜７のいずれかに記載の三次元コンデンサ構造(200)。
【請求項９】
電源(400)及び電子回路(300)を具えた電気装置であって、該電源と該電子回路とは、該電子回路が該電源によって給電されるように接続されている電気装置において、
前記電気装置が、請求項１〜８のいずれかに記載の３Ｄコンデンサ構造(200)をさらに具え、該３Ｄコンデンサ構造は、前記電源から前記電子回路と並列に電気接続されていることを特徴とする電気装置。
【請求項１０】
前記電子回路(300)がダイ内に集積され、前記３Ｄコンデンサ構造の前記基板(100)が該ダイに接して配置されている、請求項９に記載の電気装置。
【請求項１１】
３Ｄコンデンサ構造を製造する方法であって、
/1/上面、及び該上面に垂直な深さ方向を有する基板を用意するステップと、
/2/ トレンチ網を前記基板の基板上面(S100)から下向きに前記深さ方向(D)に沿ってトレンチ底面(S101)までエッチングするステップであって、該トレンチ網は分離した第１のピラー(10)の規則的なアレイを形成し、該第１のピラーは互いに離れて配置され、各々が、前記基板上面に平行な閉ループ型トレンチパターンによって包囲されるステップと、
/3/ 電気二重層コンデンサ(C)が、単一要素として、前記基板上面(S100)にある前記第１のピラー(10)の上面上に連続して広がり、かつ前記深さ方向(D)に平行なトレンチ側壁上に連続して広がり、かつ前記トレンチ底面(S101)上にも連続して広がるように、該電気二重層コンデンサを前記基板(100)上に堆積させるステップであって、該電気二重層コンデンサが、前記基板側から順に：第１電極(1)と、第１絶縁層(1i)と、第２電極(2)と、第２絶縁層(2i)と、第３電極(3)とを具えているステップと、
/7/ 少なくとも１つの接点パッド(20)を、前記基板上面(S100)の上方に前記深さ方向に沿って形成するステップであって、該接点パッドは前記第２電極(2)に電気接触するように構成されているステップとを含む方法において、
ステップ/2/において、接点支持ピラー(11)と称する少なくとも１つの第２のピラーを、当該接点支持ピラーと隣り合う互いに隣接した前記第１のピラー(10n)間を橋渡しする追加的な基板部分(12)を残すことによって形成し、これにより、該追加的な基板部分が前記互いに隣接した第１のピラーと共に閉ループ型トレンチ分離体(13)を形成し、該閉ループ型トレンチ分離体は、前記接点支持ピラーを包囲し前記基板上面(S100)に含まれる平坦な最上部(FT13)を有し、
前記方法が、ステップ/3/と/7/の間に、少なくとも閉ループ型ストリップ(B)に沿って前記第３電極(3)を除去するステップ/4/をさらに含み、該閉ループ型ストリップは、前記閉ループ型トレンチ分離体(13)の前記平坦な最上部(FT13)に含まれ、前記接点支持ピラー(11)を包囲し、前記接点支持ピラーと前記閉ループ型トレンチ分離体との間に位置する分離された閉ループ型トレンチ部分(14)も包囲し、これにより、前記第１電極(1)、前記第１絶縁層(1i)、及び前記第２電極(2)を、前記平坦な最上部上、前記分離された閉ループ型トレンチ部分内、及び前記接点支持ピラーの上方に連続したままにしつつ、前記第３電極(3)における前記分離された閉ループ型トレンチ部分に含まれる部分が、前記第３電極における前記閉ループ型ストリップの外側にある他の部分から隔離され、
ステップ/7/において、前記接点パッド(20)を、前記接点支持ピラー(11)の少なくとも上方部分で前記第２電極(2)と電気接触するように形成する
ことを特徴とする方法。
【請求項１２】
ステップ/4/において、前記第３電極(3)を、前記閉ループ型ストリップ(B)に沿って、同時に前記接点パッド(20)と前記第２電極(2)との接触領域内で除去し、該接触領域は、前記接点支持ピラー(11)の少なくとも上方に広がり、少なくとも該接触領域内では前記第２絶縁層(2i)も除去する、請求項１１に記載の方法。
【請求項１３】
ステップ/4/において、前記接点支持ピラー(11)の上方、及び当該接点支持ピラーと前記閉ループ型トレンチ分離体(13)との間に位置する前記分離された閉ループ型トレンチ部分(14)の上方を含めた前記閉ループ型ストリップ(B)の内側で、前記基板上面(S100)に平行に広がる前記第３電極(3)のあらゆる部分を除去する、請求項１１または１２に記載の方法。
【請求項１４】
ステップ/4/とステップ/7/との間に実行される次のステップ、即ち：
/5/ 電気絶縁材料の最上層(22)を前記電気二重層コンデンサ(C)上に堆積させるステップと、
/6/ 前記最上層(22)を通る開口部(O)をエッチングして、該開口部が前記閉ループ型ストリップ(B)の外側限界線の内側に位置し、かつ前記閉ループ型ストリップの該外側限界線から離れるようにするステップとをさらに含み、
ステップ/7/において、前記接点パッド(20)を、前記最上層(22)の前記開口部(O)を通って前記第２電極に接触するように形成する、請求項１１〜１３のいずれかに記載の方法。
【請求項１５】
複数の前記接点支持ピラー(11)を同時に、前記基板上面(S100)全体にわたって互いに離して設け、これにより、前記接点支持ピラーの各々が、当該接点支持ピラーを包囲する前記閉ループ型トレンチ分離体(13)、及び１つの前記接点パッド(20)と組み合わせられ、前記接点パッドは、当該接点支持体の上方で、かつ１つの分離された前記閉ループ型ストリップ内で、かつ他のあらゆる前記接点支持ピラーと独立して、前記第２接点(2)と電気接触し、
ステップ/7/の後に実行される次のステップ、即ち：
/8/ 一組の導電トラック(21)を形成するステップであって、該導電トラックは、前記基板上面(S100)の上方に配置され、前記接点パッド(20)の全部を接続して電気的に並列な配置にするように構成されているステップをさらに含む、請求項１１〜１４のいずれかに記載の方法。
【国際調査報告】
2019522890.tif 000007
2019522890.tif 000008
2019522890.tif 000009